Podtech/llm-jp-corpus-v4-ja_patent huggingface dataset:
(57)【要約】【課題】  利便性と市場価格をリーズナブルのものとし、幅広い世代に消費意欲を拡大させることができる単純な構造にしたタオル装着型モップを提供する。【解決手段】  各家庭に存在する古いタオルをモップに装着するタオル装着型モップ１にあって、２つ折にしたタオル７の一端部を弾性体構造で形成された装着板２の上部孔部４に挿入し、該タオル７の他端部を前記装着板２の下部隙間部５に挿入してタオル７をモップに装着する装着手段を具備するタオル装着型モップ１。【選択図】図１
0003116117.tif 000002
【実用新案登録請求の範囲】
【請求項１】
各家庭に存在する古いタオルをモップに装着するタオル装着型モップにあって、タオルの一端部を装着板の上部孔部に挿入し、該タオルの他端部を前記装着板の下部隙間部に挿入してタオルをモップに装着する装着手段を具備することを特徴とするタオル装着型モップ。
【請求項２】
前記装着板を弾性体構造とし、前記装着板の素材を金属若しくは樹脂によって構成することを特徴とする請求項１記載のタオル装着型モップ。
【請求項３】
前記装着板の床に接する面にタオル装着のための滑り止め手段を施したことを特徴とする請求項１又は２記載のタオル装着型モップ。
【考案の詳細な説明】
【技術分野】
【０００１】
本考案は床や壁等を清掃するための清掃具に関するものである。
【背景技術】
【０００２】
従来、床や壁等を清掃する際、雑巾のみで行う場合，雑巾とモップで行う場合，専用雑巾とモップで行う場合があった。また、今日、若い世代においては雑巾が無い家庭が多く、清掃に関する意識が薄いのが現状である。
【特許文献１】実開平６−４１６６０
【考案の開示】
【考案が解決しようとする課題】
【０００３】
従来の雑巾とモップに関しては、雑巾とモップのサイズに不調和が生じて作業中に雑巾が外れることもあり、装着不可能な場合もある。また、雑巾をモップに取り付ける作業指数も多く、バネ等の弾性材で固定する場合は指先にかかる力が大きくなり、家具等にモップが当たり家具を損傷させる恐れもあった。さらに、専用雑巾とモップでは価格的に高価なものなり、洗濯にも不自由さを感じるものもあった。
【０００４】
本考案のタオル装着型モップは、単純な構造にすることにより前記欠点を解決しようとするものであり、利便性と市場価格をリーズナブルのものとし、幅広い世代に消費意欲を拡大するものである。
【課題を解決するための手段】
【０００５】
本考案は、各家庭に存在する古いタオルをモップに装着するタオル装着型モップにあって、タオルの一端部を弾性体構造として構成された装着板の上部孔部に挿入し、該タオルの他端部を前記装着板の下部隙間部に挿入してタオルをモップに装着する装着手段を具備することにより問題点を解決している。
【考案の効果】
【０００６】
上記のように、本考案のタオル装着型モップは、タオルの大きさや厚さに自由に対応でき、単純な構造であるためタオルをモップに取り付ける作業指数も少なくなり、指先に大きな力を必要としないで簡単にタオルをモップに取り付けられる。
【０００７】
また、水拭きでも乾拭きでもタオルが装着板から外れることがなく床や壁の変化にも十分対応できるものとなる。さらに、デザインもシンプルで軽量化を図ることもでき、タオルがモップを包み込む構造になっているので床や家具等にモップで傷をつける心配もなくなる。
【考案を実施するための最良の形態】
【０００８】
例えば、２つ折にしたタオルの一端部を弾性体構造として構成された装着板の上部孔部に挿入し、該タオルの他端部を前記装着板の下部隙間部に挿入してタオルをモップに装着する装着手段を具備することにより、タオルをモップに取り付ける作業指数も少なくなり、指先に大きな力をかけないで簡単にタオルをモップに取り付けられるようになる。
【実施例】
【０００９】
以下、添付図面にしたがって実施例を説明する。図１は、本考案のタオル装着型モップの斜視図であり、タオルを装着した場合のタオル装着型モップの全容を示すものである。図２は、タオルを装着しない場合の本考案のタオル装着型モップの全容を示す斜視図である。
【００１０】
図１は、２つ折にしたタオル７の一端部を装着板２の上部孔部４に挿入し、該タオル７の他端部を装着板２の下部隙間部５に挿入した場合を図示したものであり、装着板２自体が弾性体構造として構成されており、タオル装着型モップ１の柄３から伝わる力で装着板２の上部孔部４に挿入したタオル７の一端部を装着板２の上部の山形構造により押さえ込み、装着板２の下部隙間部５に挿入したタオル７の他端部を該隙間部の上下に取り付けた弾性部材６によって挟み込むことになる。
【００１１】
図３は、本考案のタオル装着型モップ１の装着板２の裏面８を図示するものであり、装着されたタオル７を介して床等と接する面となり、該タオルが滑らないように滑り止め用のゴム剤９を部分的に付着させたものである。また、滑り止め用の素材を装着板２の裏面８に貼り付けることも考えられる。
【００１２】
図４は、タオルを装着しない場合の本考案のタオル装着型モップの他の実施例を示す斜視図である。装着板２の下部山形部１１を上部山形部１０より手前側に突出させた構造とし、装着板２の下部隙間部５の上下いずれかに弾性部材６を取り付け、タオル装着型モップ１の柄３から伝わる力で装着板２の上部孔部４に挿入したタオル７の一端部を装着板２の上部の山形構造により押さえ込み、装着板２の下部隙間部５に挿入したタオル７の他端部を該隙間部５の上下いずれかに取り付けた弾性部材６によって挟み込むことになる。
【図面の簡単な説明】
【００１３】
【図１】タオルを装着した場合の本考案のタオル装着型モップの斜視図である。
【図２】タオルを装着しない場合の本考案のタオル装着型モップの斜視図である。
【図３】本考案のタオル装着型モップの装着板の底面を示す底面図である。
【図４】タオルを装着しない場合の本考案のタオル装着型モップの他の実施例を示す斜視図である。
【符号の説明】
【００１４】
１    タオル装着型モップ
２    装着板
３    柄
４    上部孔部
５    下部隙間部
６    弾性部材
７    タオル
８    裏面
９    ゴム剤
１０  上部山形部
１１  下部山形部
【図１】
0003116117.tif 000003
【図２】
0003116117.tif 000004
【図３】
0003116117.tif 000005
【図４】
0003116117.tif 000006
(57)【要約】      （修正有）【課題】把手が邪魔にならず、線を描きやすい黒板用直線定規を開発・提供する。【解決手段】直線定規本体（１）において、長手方向の一端部に、把手（２）を設けると共に、長手方向の側面、両側にそれぞれ目盛り（３）（３′）を設けたことを特徴とする黒板用直線定規であり、定規本体（１）の素材は、半透明の合成樹脂を使用しているが、この材質に限定されることはなく、他の部材を用いてもよいものであり、また、どのような色に着色したものを用いてもよく、さらに、定規本体（１）の裏面の両端部には、それぞれ、マグネットシート（４）設けてもよく、着磁性の黒板、ホワイトボードで使用する際には、定規本体（１）が慈善に吸磁され、定規本体（１）をしっかりと固定できる。【選択図】図１
0003116130.tif 000002
【実用新案登録請求の範囲】
【請求項１】
直線定規本体（１）において、長手方向の一端部に、把手（２）を設けると共に、長手方向の側面、両側にそれぞれ目盛り（３）（３′）を設けたことを特徴とする黒板用直線定規。
【考案の詳細な説明】
【技術分野】
【０００１】
この考案は、学校、学習塾等の教壇上で教師が黒板に向かって使用する、黒板用直線定規に関する。
【背景技術】
【０００２】
従来、この黒板用直線定規（以下、この直線定規は、黒板はもとより、ホワイトボード等の筆記板をすべて含むものである。）は、垂直か、あるいはやや傾斜した黒板、あるいはホワイトボードで使用するため、定規を押さえた状態で、定規に添って、白墨やサインペンで直線を倣って描くものである。
【０００３】
しかしながら、比較的長めの定規では、定規をしっかりと押さえておかないと、定規の先端の方では、筆記具の力によって定規が動いてしまうという欠点があった。
【０００４】
そのため、定規の長手方向に大きなアーチ状の把手を設け、しっかりと固定できるものが存在するが、その結果、先端部での振れはなくなるものの、把手部分が定規の全体にあるため、把手に握った手が邪魔となり、線が描きにくいものであった。例えば、特許文献１のように。
【特許文献１】特開平７−２７６８９２号公報
【考案の開示】
【考案が解決しようとする課題】
【０００５】
そこでこの考案は、把手が邪魔にならず、線を描きやすい黒板用直線定規を開発・提供することにある。
【課題を解決するための手段】
【０００６】
そこでこの考案は、直線定規本体（１）において、中央部を避けて、長手方向の一端部に、把手（２）を設けると共に、長手方向の側面、両側にそれぞれ目盛り（３）（３′）を設けた黒板用直線定規である。
【考案の効果】
【０００７】
この考案によると、直線定規本体（１）において、長手方向の一端部に、把手（２）を設けることにより、中央部を避けることにより、該直線定規を使用して線が描きやすく、また、目盛り（３）は、直線定規本体（１）の両側にそれぞれ設けてあるため、右利きの場合は、図１に示すように、左手で把手（２）を握り、右手で白墨やサインペンを持ち、定規本体（１）の目盛り（３）に添って倣って線を描けばよく、左利きの場合には、直線定規本体（１）を逆さにして持ち、把手（２）を、直線定規本体（１）の右側に位置させ、同様に定規本体の目盛り（３′）に添って倣って線を描けばよい等極めて有益なる効果も有するものである。
【考案を実施するための最良の形態】
【０００８】
以下、この考案の一実施例を図１及び図２に基づいて詳細に説明すると、直線定規本体（１）において、長手方向の一端部に、把手（２）を設けると共に、長手方向の側面、両側にそれぞれ目盛り（３）（３′）を設けたことを特徴とする黒板用直線定規から構成されるものである。
【０００９】
また、定規本体（１）の素材は、半透明の合成樹脂を使用しているが、この材質に限定されることはなく、他の部材を用いてもよいものであり、また、どのような色に着色したものを用いてもよい。
【００１０】
さらに、定規本体（１）の裏面の両端部には、それぞれ、マグネットシート（４）設けてもよく、着磁性の黒板、ホワイトボードで使用する際には、定規本体（１）が慈善に吸磁され、定規本体（１）をしっかりと固定できる。
【産業上の利用可能性】
【００１１】
この考案の黒板用直線定規の製造技術を確立することにより、製造・販売を通じて、産業上の利用可能性が大きい。
【図面の簡単な説明】
【００１２】
【図１】この考案の一実施例を示す平面図である。
【図２】この考案の一実施例を示す側面図である。
【符号の説明】
【００１３】
１  直線定規本体
２  把手
３  目盛り
３′目盛り
４  マグネットシート
【図１】
0003116130.tif 000003
【図２】
0003116130.tif 000004
(57)【要約】【課題】葬祭会場や道路分岐点箇所での簡易迅速な案内表示の設置とタイマ−装置接続による点灯及び消灯切り替えの効率的な案内表示。【解決手段】１ａのプラスチック製行灯型案内用表示本体に１ｂの蛍光灯を内蔵させ、４のタイマ−装置を接続させて取り付け、４ｂの点灯針を点灯時間に合わせ、同時に４ｃの消灯針を消灯時間に合わせることによって、時間の自在設定による点灯及び消灯表示を行い、効率的で経済的に明るい案内を行う。【選択図】        図１
0003116149.tif 000002
【実用新案登録請求の範囲】
【請求項１】
自宅等を葬祭会場にして祭祀を行うときの葬祭会場案内表示を、移動可能な行灯型にし、その中に蛍光灯を取り付け、外部から蛍光灯の点灯及び消灯設定を自在にする簡易型タイマ−機を接続して、簡易迅速な移動並びに設置と自在の時間設定できるタイマ−付き行灯型案内表示灯を提供する。
【考案の詳細な説明】
【技術分野】
【０００１】本考案は、葬祭会場及び道路道順での案内表示の移動設置及び自動点灯、消灯に関する。
【技術背景】
【０００２】従来の葬祭等会場表示の案内は、立て板式表示または蛍光塗料式の案内板表示で対応しているが、行灯型の表示灯に加え、施主又は事業者が案内表示灯の点灯及び消灯の作業を自在に行える機能がなかった。
【考案の開示】
【考案が解決しようとする課題】
【０００３】葬祭会場等の位置を示す案内表示板の設置は、昼間の来訪者には識別し易いが、夜間来訪者には識別しにくいこと、及び夜間時の蛍光灯の点灯式案内表示について、継続点灯による経済的負担と、点灯及び消灯の切り替え作業による労力負担が施主並びに関係事業者にあった。【０００４】案内表示についての識別の負担を軽減するとともに、事前の点灯設定を行うことにより、簡易で効率的に前述の欠点を解決しようとするものである。
【課題を解決するための手段】
【０００５】本考案は案内表示灯を道路分岐点箇所や会場に、簡易に設置や撤去を行うため、行灯型の案内表示を使用し、また時間的な制約を受けず点灯時間と消灯時間を事前に設定して、適格に昼夜の来訪者に会場案内表示を示すための切り替え効率を図る簡易のタイマ−装置機を、案内表示灯に接続することによって問題点が解決される。
【考案の効果】
【０００６】前述のように、本考案の葬祭用等行灯型タイマ−付き案内表示灯は、自宅や交通事情の不便な会場への簡易迅速で明瞭な案内表示が可能となる。【０００７】タイマ−機装置の接続による点灯時刻の時間的効率性を発揮して、施主側の点灯切り替え負担軽減と、光熱費の経済的負担軽減を両立させる効果がある。
【考案を実施するための最良の形態】
【０００８】以下、本考案の実施形態を図１〜図２に基づいて説明する。【０００９】図１〜図２において、１ａはプラスチック製葬祭用案内表示行灯本体で、１ｂは蛍光灯、２ａは蛍光灯の入力配線、２ｂは差込用コンセントになる。１ａの箱型本体枠内に１ｂの蛍光灯を内蔵し、一体的な蛍光灯式の案内表示行灯を構成する。
４はタイマ−装置本体であるが、タイマ−本体に接続している３ａのコンセントと３ｂの出力配線を通じて１ａ・１ｂ本体のタイマ−設定を行うことになる。
４ａタイマ−主電源、４ｂは点灯表示を設定する針、４ｃは消灯表示を設定する針で点灯及び消灯時間の設定を行い案内表示行灯の点灯をコントロ−ルする。【００１０】５ａはタイマ−電源の入力配線、５ｂはタイマ−のコンセントで住宅等の主電源に差し込む。
６ａはタイマ−の収納箱で６ｂのふたを開閉させることによってタイマ−装置の保管を行う。
【図面の簡単な説明】
【００１１】
【図１】本考案の実施形態を示すタイマ−装置付きポ−タブル案内行灯の正面図
【図２】本考案の案内行灯接続タイマ−装置の正面図
【符号の説明】
【００１２】１ａ．  案内行灯本体（プラスチック製）
１ｂ．  蛍光灯
２ａ．  案内行灯の配線
２ｂ．  案内行灯のコンセント
３ａ．  タイマ−装置のコンセント
３ｂ．  タイマ−装置の配線
４．    タイマ−装置本体
４ａ．  タイマ−装置電源
４ｂ．  点灯時間設定針
４ｃ．  消灯時間設定針
５ａ．  タイマ−装置配線
５ｂ．  タイマ−装置コンセント
６ａ．  タイマ−装置収納箱
６ｂ．  タイマ−装置フタ
【図１】
0003116149.tif 000003
【図２】
0003116149.tif 000004
(57)【要約】【課題】片手に障害のある人が従来のトイレットペーパーだと片手では使いずらいという不都合を解決することを課題とする【解決手段】片手でも簡単に使用出来るようにペーパーをつるして下に引っぱるだけでこの課題を解決する【選択図】図１0003116148.tif 000003
0003116148.tif 000002
【実用新案登録請求の範囲】
【請求項１】
１枚のトイレットペーパー上部に穴をあける．下部２ｃｍの所から折る（下の部分を折りまげる事によって下に引っぱって使用した時次のペーパーが取りやすくなる）
３０枚ほどを結束バンドで束ばねフックにつるし下に引っぱって使用することを特徴とするトイレットペーパー
【考案の詳細な説明】
【技術分野】
【０００１】本考案はトイレで使用するペーパーに工夫を加えたものである．
【背景技術】
【０００２】従来のトイレットペーパーでは両手で楽にたたんで使用．
【考案の開示】
【考案が解決しようとする課題】
【０００３】しかし片手に障害のある人が従来のトイレットペーパーだと片手では使いずらいという不都合を解決することを課題とする。
【課題を解決するための手段】
【０００４】そこで片手でも簡単に使用出来るようにペーパーをつるして下に引っぱるだけでこの課題を解決する．
【考案の効果】
【０００５】下に引っぱるだけで片麻痺の人でも簡単に尻をふける．
【考案を実施するための最良の形態】
【０００６】１枚のペーパー上部に穴をあける
下部２ｃｍの所から折りまげて３０枚ほどを束ばね．つるして下に引っぱれば簡単に使用出来る最良の形態
【図面の簡単な説明】
【０００７】
【図１】本考案トイレットペーパー図
【符号の説明】
【０００８】１  フック
２  結束バンド
３  パンチ穴
４  ２ｃｍ折る
【図１】
0003116148.tif 000004
【手続補正書】
【提出日】平成17年7月19日(2005.7.19)
【手続補正１】
【補正対象書類名】実用新案登録請求の範囲
【補正対象項目名】全文
【補正方法】変更
【補正の内容】
【実用新案登録請求の範囲】
【請求項１】
１枚のトイレットペーパー上部に穴をあけ下部２ｃｍの所から折り５０枚ほどを結束バンドで束ばねフックにつるし下に引っぱって使用することを特徴とするトイレットペーパー
(57)【要約】      （修正有）【課題】通常バッグ教材を製作する時は、「縫い」と「裁断」の技術を学ぶ事が主な目的である為、生徒個々人が個性を出す事は難しかった。したがって、本考案はこうした生徒個々人の個性を活かし、生徒がさらに実習に興味や楽しさを持てるようにした。【解決手段】生徒が一人一人、自分の考えでバッグをアレンジできるようにアイロンワッペン（転写シート）やビーズ（付属品）をまとめて添付し、生徒個々人が好みに合わせて、アイロンワッペン（転写シート）やビーズを取捨選択しアレンジする事ができる。【選択図】図２
0003116143.tif 000002
【実用新案登録請求の範囲】
【請求項１】
学校の家庭科で被服製作の実習をする際の教材である「バッグ」に付属品の中からアイロンワッペン（転写シート）やビーズを組み合わせることのできる教材
【考案の詳細な説明】
【考案の詳細な説明】
【技術分野】
【０００１】学校の家庭科で被服製作の実習をする際に使用する教材に関する技術分野
【背景技術】
【０００２】通常バッグ教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでバッグをアレンジできるようにアイロンワッペン（転写シート）やビーズ（付属品）をまとめて添付し、生徒個々人が好みに合わせて、アイロンワッペン（転写シート）やビーズを取捨選択しアレンジする事ができる。
【考案を実施するための最良の形態】
【０００５】本案は、以上のような考え方のもと、生徒がバッグ教材を実習する際に、生徒一人一人が好みに合わせて、アイロンワッペン（転写シート）やビーズを使用してバッグをアレンジできる実習教材である。
【考案の効果】
【０００６】この考案により、従来単調であったバッグ製作実習が、生徒一人一人が自分の好みやイメージ合ったバッグにアレンジする事ができる。したがって、生徒の興味や楽しさがこの教材を使う事でさらに増大する。
【図面の簡単な説明】
【図１】  従来のバッグの完成図
【図２】  本考案のバッグの完成図
【図１】
0003116143.tif 000003
【図２】
0003116143.tif 000004
【手続補正書】
【提出日】平成17年7月14日(2005.7.14)
【手続補正１】
【補正対象書類名】実用新案登録請求の範囲
【補正対象項目名】全文
【補正方法】変更
【補正の内容】
【実用新案登録請求の範囲】
【請求項１】
学校の家庭科で被服製作の実習をする際の教材である「バッグ」に付属品の中からアイロンワッペンやビーズを生徒が自分の好みに合わせて、組み合わせることのできるバッグ
【手続補正２】
【補正対象書類名】明細書
【補正対象項目名】全文
【補正方法】変更
【補正の内容】
【考案の詳細な説明】
【技術分野】
【０００１】学校の家庭科で被服製作の実習をする際に使用する教材に関する技術分野
【背景技術】
【０００２】通常バッグ教材を製作する時は、「縫い」と「裁断」の技術を学ぶ事が主な目的である為、生徒個々人が個性を出す事は難しかった。
【考案が解決しようとする課題】
【０００３】したがって、本考案はこうした生徒個々人の個性を活かし、生徒がさらに実習に興味や楽しさを持てるようにした。
【課題を解決する手段】
【０００４】そこで、本考案は生徒が一人一人、自分の考えでバッグをアレンジできるようにアイロンワッペンやビーズをまとめて添付し、生徒個々人が好みに合わせて、アイロンワッペンやビーズを取捨選択しアレンジする事ができる。
【考案を実施するための最良の形態】
【０００５】本案は、以上のような考え方のもと、生徒がバッグ教材を実習する際に、生徒一人一人が好みに合わせて、アイロンワッペンやビーズを使用してバッグをアレンジできる実習教材である。
【考案の効果】
【０００６】この考案により、従来単調であったバッグ製作実習が、生徒一人一人が自分の好みやイメージ合ったバッグにアレンジする事ができる。したがって、生徒の興味や楽しさがこの教材を使う事でさらに増大する。
【図面の簡単な説明】
【０００７】
【図１】従来のバックの完成図
【図２】本考案のバッグの完成図
(57)【要約】【課題】  本考案はハンガー本体に衣服の襟ぐりを容易に挟み留める機能部分を設け、ずり落ちを防止し、洗濯バサミ等を使用する手間も省く。【解決手段】  本考案はハンガー本体１に襟ぐりを挟み留める機能部分２を設けることにより、襟ぐりの大きい衣服のハンガーからのずり落ちを防止する。【選択図】  図１
0003116150.tif 000002
【実用新案登録請求の範囲】
【請求項１】
襟ぐりの大きい衣服でもハンガーからずり落ちないように、襟ぐりを挟み留めることができるようにしたハンガー。
【考案の詳細な説明】
【技術分野】
【０００１】  本考案は襟ぐりの大きい衣服でもハンガーからずり落ちないように、挟んで留める部分を設けたハンガーに関する物である。
【背景技術】
【０００２】  従来のハンガー特に洗濯物干し用のハンガーに、下着のシャツなどの襟ぐりの大きい衣服を掛けようとした場合ずり落ちてしまうため掛けられない、またはハンガーが揺れるとずり落ち易く洗濯バサミ等で留める必要があった。
【考案の開示】
【考案が解決しようとする課題】
【０００３】  襟ぐりの大きい衣服はハンガーからずり落ちてしまうので、収納に関してはたたむとしわになり易く、洗濯物干しに関してはハンガーに掛けて洗濯バサミで留めるか、さおに掛けて場所を取ることになる。従って、ハンガーと衣服を挟んで留める機能を一体化することにより、欠点を解決しようとするものである。
【課題を解決するための手段】
【０００４】  本考案はハンガー本体に衣服の襟ぐりを挟み留める部分を設け、問題点を解決している。
【考案の効果】
【０００５】  上述の様に、本考案の襟ぐり挟み留め付きハンガーは、ハンガー本体に襟ぐりの小さい衣服を掛けることは勿論、襟ぐりを挟み留める機能をハンガー本体に設けたので、襟ぐりの大きい衣服でも掛けることができ、しかも洗濯バサミ等を使用することなく、手間も省くことができる。
【考案を実施するための最良の形態】
【０００６】  ハンガー本体の片方または両方の衣服の襟ぐりがあたる部位に襟ぐりを挟み留める機能部分を設ける。その形状にはこだわらない。
【実施例】
【０００７】  以下、添付図面に従って一実施例を説明する。１は適宜素材にて形成されたハンガー本体、２は襟ぐりを挟み留める機能部分。
【図面の簡単な説明】
【０００９】
【図１】本考案の襟ぐり挟み留め付きハンガーの一実施例を示す正面図である。
【符号の説明】
【００１０】  １  ハンガー本体
２  襟ぐり挟み留め
【図１】
0003116150.tif 000003
【手続補正書】
【提出日】平成17年8月9日(2005.8.9)
【手続補正１】
【補正対象書類名】実用新案登録請求の範囲
【補正対象項目名】全文
【補正方法】変更
【補正の内容】
【実用新案登録請求の範囲】
【請求項１】
襟ぐりの大きい衣服でもハンガーからずり落ちないように、襟ぐりがあたるハンガー肩部分の一部を二重にし、襟ぐりを挟み留める機能部分を設けたハンガー。
(57)【要約】【課題】ガードレールの接続部分の段差をなくすようにする。【解決手段】ガードレール２の接続部分を部材の厚み分だけ凹ませ、その上に部材１を重ね合わせて接続すれば、車道側には段差の生じないガードレールの設置が、可能である。【選択図】図２
0003116167.tif 000002
【実用新案登録請求の範囲】
【請求項１】
道路に設置するガードレールの接続個所で道路の外側になる部分２を部材の厚みだけ凹ませて重ね合わせて接続した、車道側に段差の無いことを特徴とするガードレール。
【考案の詳細な説明】
【特考案の詳細な説明】
【発明が解決しようとする課題】
【０００１】  この考案は、従来までのガードレールが車輌の運行方向に重ね合わせの部材を向けることで安全を図って来たが、この接続の方法では対抗車線からの車輌等の接触事故等の場合にはつなぎ部分の段差が車輌の側面をえぐることなどがあり、決して安全とはいえなかった。
【課題を解決するための手段】
【０００２】  以上の課題を解決するために、ガードレールの接続部分の段差を無くすために接続部分の道路外側になる部材の重なりあう部分を部材の厚み分だけ凹ませて接続して、道路側に段差が生じないようにした。
【考案の効果】
【０００３】  車道に面した接続部分に段差が無い事から、対抗車線からの接触事故等の場合であっても段差が車輌の側面をえぐる事が無くなり安全が増す。
【図面の簡単な説明】
【図１】  道路に設置されたガードレールの斜視図である。
【図２】  接続部分の断面図である。
【図３】  断面の拡大図である。
【符号の説明】
１  道路側のガードレール本体      ２  道路外側のガードレール本体
３  ガードレールを取り付ける支柱
【図１】
0003116167.tif 000003
【図２】
0003116167.tif 000004
【図３】
0003116167.tif 000005
(57)【要約】      （修正有）【課題】物流運送業界において簡易で反復使用出来る荷崩れ防止防水カバ−を提供すると共に、荷を水濡れから防水する事。【解決手段】防水材料を施した荷崩れ防止防水カバーの胴巻き布に全方向引張り荷重に強い四軸織物叉は二軸織物二枚を互いに４５度かたむけて縫着した物を使用し、積載荷物に引掛けるカバー上面の半分近くまで覆う長方形の引掛けを縫着し、長方形の各角に縦方向に補強布を設け、締付け帯、締付け保持帯の各々にマジックファスナ−設け胴巻き布に相対するように複数平行に縫着し、長方形の各側面に透明なポケットを設け荷の内容物が表示出来るようにした。また使用後は折り畳んで収納が容易に出来るようにした。【選択図】図１
0003116168.tif 000002
【実用新案登録請求の範囲】
【請求項１】
長方形上面の一辺の両角より上面の半分近くまで引掛ける布を縫着し、残りの布が正面側の面をカベー出来る長さが有り、胴巻き布は両開きにし、両開きの各々に締付けバンドと締付け保治具が対応する位置にそれらを複数平行に設け、長方形の底辺の面は無く、長方形各々角の縦方向の辺を補強し、長方形縦方向の各々の面に適宜透明なポケットを設け、内容物表示が出来、胴巻き布には防水処理を施した、四軸織物または二軸織物二枚をバイアス方向に傾けて逢着した布を特徴とする。
【考案の詳細な説明】
【考案の詳細な説明】
【０００１】本考案は物流貨物の保管と輸送等で使用している積荷の荷崩れ防止具の改良に関する物である。
【０００２】［従来の技術］
従来、物流に欠かせないパレット積み荷物の保管と輸送に置いては一般的にパレット積荷をラップ巻きにしている、が使用後のラップは１回の使用で再使用は不可能な為、廃棄ゴミとなり、産業廃棄物となる、処理費用に留まらず化学製品の焼却は大気汚染の社会問題、地球規模的課題と成っているのが現状である。叉天候による雨、雪等の防水の問題が有り、その荷の内容物表示もまちまちである。荷崩れ防止として
特開２００２−２４３１６０号公報
特開２００２−００２７８１号公報
特開２０００−０８６１８９号公報
特開平０８−２８２６６５号公報
特開平０６−２７０９４１号公報
特開平１１−２９２１３２号公報  などに提案されている。
［考案が解決しようとする課題］
【０００３】従来提案されている荷崩れ防止具は構造が複雑な点や着脱に手間が掛り、荷物に装着する時、二人以上の作業員でないと取付け出来なかったり、防止具が重かったり、荷物の中身が判らない、締め付け強度に対する材料の耐久性を増す必要性があった。
［課題を解決する為の手段］
【０００４】本考案は１人の作業員で積載された長方形荷の上面の両角より上面の半分近くまで図１の引掛け布を縫着し、カバ−のずり落を防ぎ保持して、残り布を上面と正面側にカバーし、長方形の荷の５面を雨、雪等を防御出来、締付けバンドで荷を胴巻き締結する様にし、荷の角で胴巻き材料の摩耗の耐久性を増す為に各々の角に締め付け易い補強材を縫着し荷崩れを確実に防止する事が出来るようにし、１人の作業員で装着出来る様にした。
【０００５】更に長方形縦方向の各々の面に適宜見やすい場所に透明なポケットを設け、その荷の内容物を記入した物を入れて表示出来るようにした、荷崩れ防止防水カバーを付けたまま保管する場合、前後左右どの方向からでも何の荷か判るようにした。
［考案の実施の形態］
【０００６】次に本考案の構成を図面に基づいて具体的に説明する。
【０００７】図１は本考案の荷崩れ防止カバ−の斜視図である、胴巻き布１に荷の幅方向、長方形上面部の一辺の両角より、引掛け布２を上面の半分近く迄縫着し、残り布を上面と正面側にカバーし、長方形の各々の角に当たる部分に角補強材３を長方形の縦方向に縫着する、胴巻き布１の両端の片側端に締付け帯４と反対側の片側端に締付け帯保持５が相対するように複数平行に各々縫着する、締付け帯４と締付け帯び保持５には各々にマジックファスナー６が対応して縫着してある。このカバーの胴巻き布１は防水処理した、４軸織布を使用し全方向引張り強度を強くした、またはバイヤス方向強度を増す為に２軸織物２枚を互いに４５度化傾けて重ね縫着した布を使用する。
【０００８】図２はパレット上に積載された荷に荷崩れ防止防水カバーを使用し、締付け完了した斜視図である。透明なポケットが長方形縦方向の各々の面に設け、その中に荷の内容物を記入した物を入れて有るので、前後左右の方向から表示が判るようにした。
【０００９】図３は荷崩れ防止防水カバーを広げた展開平面図である。マジックファスナー６を外す事により簡易に取外す事が出来、再利用可能となり、簡易に折り畳む事が出来るようにした。
【００１０】［考案の効果］
本考案の荷崩れ防止防水カバーはパレット上に規定された荷を重ねて構成された長方形の積載荷物に一人の作業員で作業が出来るようになり、荷崩れ防止防水カバーの着脱が容易に出来、天候が雨、雪の防水防御と反復使用が可能になり、ラップ巻きによるゴミの廃棄が無くなり、胴巻きのバイヤス方向荷重強度も増し、折り畳み使用できる。
【図面の簡単な説明】
【図１】本考案の荷崩れ防止防水カバーの斜視図である。
【図２】本考案の荷崩れ防止防水カバーを積載荷物に施工完了した斜視図である。
【図３】本考案の荷崩れ防止防水カバーの展開平面図である。
【符号の説明】
１  胴巻き布
２  引掛け布
３  角補強材
４  締付け帯
５  締付け保持帯
６  マジックファスナー
７  ポケット
８  パレット
９  積載荷物
【図１】
0003116168.tif 000003
【図２】
0003116168.tif 000004
【図３】
0003116168.tif 000005
(57)【要約】【課題】パスポート等の貴重品を所持する際に着用する衣類において、貴重品をいれた内ポケットやその開口部を表側から見え難くする。【解決手段】シャツの外側から貴重品を出し入れできる内ポケットの開口部に、ファスナー等を取り付け、さらにその開口部を身頃上部に設けた、身頃幅と同じ長さのタックをかぶせることによって、表側からはポケットとその開口部を見えないようにする。【選択図】  図１
0003116170.tif 000002
【実用新案登録請求の範囲】
【請求項１】
シャツの外側から貴重品を出し入れできる、内ポケットの開口部に、ファスナー等を取り付け、さらにその開口部を身頃上部に設けた、身頃幅と同じ長さのタックをかぶせることによって、表側からはポケットとその開口部を隠したことを特徴とするシャツ。
【考案の詳細な説明】
【技術分野】
【０００１】  本考案は、貴重品を保管、所持するための各種ポケット等を備えた衣類に関する。
【背景技術】
【０００２】  この種のシャツ類として、特開平５−１７９５０１号には、貴重品を入れる内ポケットを備えたシャツ類が提案されている。
【考案の開示】
【考案が解決しようとする課題】
【０００３】  現在、提案されている、パスポート等の所持保管の方法は
１、パスポートカバーに紐をつけ、首から下げるものは肩を凝らす人が多い。
２、腰に巻くタイプはごろついたり、不安定で、かさばったりする
３、ベストタイプは重ね着するため、むれやすい
また、それらに共通するのは、貴重品の出し入れの際には衣服をたくしあげたりせねばならず、人目を離れた場所に移動して出し入れするため不便である。
【課題を解決するための手段】  シャツの外側から貴重品を出し入れできる、内ポケットの開口部に、ファスナー等を取り付け、さらに開口部を、その上部に設けた、身頃幅と同じ長さのタックをかぶせることによって、表側からはポケットとその開口部を隠す。
【考案の効果】  内ポケットの外部開口部分がタックによって隠されているため、表側からはポケットは存在しないように見えるので、安全性が高くなる。また前身頃下部にポケットを配したため、出し入れが簡便で、スマートに出来る。さらに所持の安全確認も簡単に出来る効果がある。
【考案を実施するための最良の形態】  １、  ポケットの位置に関しては、出し入れ簡便であり、また、かさばりを感じにくい前身頃中央下部に配する。
２、  内ポケットは通気性と軽量を兼ねるメッシュの生地で構成する。
３、  内ポケットの外側開口部を、ファスナー等で閉じる
４、  開口部を、その上部に設けた、身頃幅と同じ長さのタックでおおう。
【実施例】  図１の  Ｔシャツ
【図面の簡単な説明】
【図１】  内ポケットに貴重品を入れ、開口部を閉じた状態を示した正面平面図である。
【図２】  裏側から見たポケットの状態を示した平面図である
【符号の説明】
１・・シャツ  前面外側
２・・タック
３・・縫い目
４・・シャツ裏側の内ポケット
５・・開口部
【図１】
0003116170.tif 000003
【図２】
0003116170.tif 000004
(57)【要約】  【課題】従来のインターネットを介しての音声通信に用いるヘッドセットの機能はマイク機能とイヤスピーカ機能を組み合わせたものになっているため、利用者がパソコン画面を見ていない時およびヘッドセットを着用していない時は、相手からの呼び出しを察知しにくいである。音声による呼び出し機能を加えていることによって、呼び出すことの可能なヘッドセットを提供することを課題とする。  【解決手段】  ヘッドセットにはイヤスピーカと呼び出し用スピーカの２種類のスピーカを設置し、更に２種類のスピーカの間に切り替えるスイッチを設置することにより、音声により呼び出し機能とイヤスピーカ機能の両方備えることが可能となる。  【選択図】  図１
0003116163.tif 000002
【実用新案登録請求の範囲】
【請求項１】
インターネットを介しての音声通信において、音声による呼び出し装置を設けたことを特徴とするヘッドセット。
【請求項２】
請求項１の音声呼び出し機能とイヤスピーカ機能を切り替えるための装置を設けたことを特徴とするヘッドセット。
【請求項３】
請求項の音声呼び出し装置に、ＵＳＢコネクターまたは乾電池で電力を供給する装置を設けたことを特徴とするヘッドセット。
【請求項４】
請求項１、請求項２及び請求項３に記載の通信装置をハンディフォン及び電話機のような筐体に収容していることを特徴とするヘッドセット。
【考案の詳細な説明】
【技術分野】
【０００１】
本考案は、インターネットを介しての音声通信に用いるヘッドセットの機能に関する。
【背景技術】
【０００２】
図３に示しているように、従来のインターネットを介しての音声通信に用いるヘッドセットの機能はマイク機能とイヤスピーカ機能を組み合わせたものである。
【０００３】
【特許文献１】特開２００５−１０９９４６号公報
【考案の開示】
【考案が解決しようとする課題】
【０００４】
しかしながら、以上の技術によれば、パソコン画面を見ていない時およびヘッドセットを着用していない時は、相手からの呼び出しを察知しにくいである。
そこで、この考案は、音声による呼び出し機能を加えているヘッドセットを提供することを課題とする。
【課題を解決するための手段】
【０００５】
以上の課題を解決するために、第一考案は通信相手からの呼び出しを音声で察知することを可能にする装置を、インターネットを介しての音声通信に用いるヘッドセットに設けた。
第二考案は、ヘッドセットの音声呼び出し機能とイヤスピーカ機能を任意に切り替えるための切り替え手段を有するものである。
第三の考案は、前記の音声呼び出し装置に電力を供給するためＵＳＢコネクターまたは乾電池を設けた。
第四の考案は、外形において、上記のヘッドセットの各部品、装置を、ひとつの筐体に収納した。
【考案の効果】
【０００６】
本発明は以上のように構成されていることから、インターネットを介しての音声通信において、音声で呼び出すことができるヘッドセットを提供することが可能である。さらに、図４の示したように、上記のヘッドセットの外形を電話機のような筐体に作り、利用場所によって、便利さをアップする。
【考案を実施するための最良の形態】
【０００７】
即ち、この考案ではヘットセットにはイヤスピーカと呼び出し用スピーカの２種類のスピーカを設置し、更に２種類のスピーカの間に切り替えるスイッチを設置することにより、音声により呼び出し機能とイヤスピーカ機能の両方備えることが可能となる。
【０００８】
なお、電力を供給できるＵＳＢコネクターまたは乾電池を設けたことによって、音声により呼び出し機能が音声を出すことが可能になる。
【実施例】
【０００９】
以下、本考案の一つ実施例を図面に基づいて説明する。
図１に本考案の実施例の外観を示しており、図2は本考案に関連するその内部回路図示す。１はイヤスピーカ、２はマイク、３は切り替え装置、４は呼び出し用スピーカ、５はマイクのパソコンと接続用のジャック、６はスピーカのパソコンと接続用のジャック、７はＵＳＢコネクターである。
５のマイクのパソコンと接続用のジャック、６のスピーカのパソコンと接続用のジャック、７のＵＳＢコネクターをパソコンとつながり、パソコンからの音声信号が最初に４の呼び出し用スピーカに出力され、大音量で呼び出し音を出すと、ユーザが呼び出し音で察知し、３の切り替え装置で音声信号をヘッドセットへ出力させ、相手と交信をする。
【００１０】
次に切り替え装置について説明する。１のイヤスピーカと４の呼び出し用スピーカの間に切り替えの装置は、手動で切り替え機能を実現する装置と自動で切り替えることができる装置（ヘッドセットを着用する際に音声の出力が１のイヤスピーカになり、ヘッドセットを着用していない際に音声の出力が４の呼び出し用スピーカになる）の二種類装置を作ることができる。
【００１１】
次に７のＵＳＢコネクターをパソコン及び４の呼び出し用スピーカとつながり、パソコンからの電力を４の呼び出し用スピーカに電力を供給する。
【図面の簡単な説明】
【００１２】
【図１】実施例の外観
【図２】実施例の内部回路図
【図３】従来のヘッドセット
【図４】外形が変わったヘッドセットの一例
【符号の説明】
【００１３】
１  イヤスピーカ
２  マイク
３  切り替え装置
４  呼び出し用スピーカ
５  マイクのパソコンと接続用のジャック
６  スピーカのパソコンと接続用のジャック
７  ＵＳＢコネクター
【図１】
0003116163.tif 000003
【図２】
0003116163.tif 000004
【図３】
0003116163.tif 000005
【図４】
0003116163.tif 000006
【手続補正書】
【提出日】平成17年9月6日(2005.9.6)
【手続補正１】
【補正対象書類名】実用新案登録請求の範囲
【補正対象項目名】請求項３
【補正方法】変更
【補正の内容】
【請求項３】
請求項1及び請求項２の音声呼び出し装置に、ＵＳＢコネクターまたは乾電池で電力を供給する装置を設けたことを特徴とするヘッドセット。
(57)【要約】      （修正有）【課題】シルバーの方でも簡単にウエストゴムを取替える事が出来、お腹まわりに応じて調節できる機能も綺麗に簡単にゴム通し部分に収納することが出来るウエストゴムの取替口を提供する。【解決手段】ウエストゴムの取替口を大きな取替え口とする。【選択図】図２
0003116189.tif 000002
【実用新案登録請求の範囲】
【請求項１】
ウエストゴムが簡単に取替えでき、ウエストゴムの調節された部分が綺麗に取替え口に収納でき、従来のミシンで簡単に縫製できるウエストゴムの簡単取替え口
【考案の詳細な説明】
【技術分野】
【０００１】ウエストゴムが簡単に取替えができ、ウエストゴムの調節機能部分も簡単に収納できる取替え口
【背景技術】
【０００２】今までの取替え口はボタンホールのような取替え口でウエストゴムの出し入れは非常に困難であった。
【考案の開示】
【０００３】ウエストゴムを簡単に取替えでき、調節機能も見栄え良く収納できる。
【考案が解決しようとする課題】
【０００４】本考案は従来のウエストゴム取替え口はボタンホールのような小さな取替え口しかなく取替えが非常に難しく、やる気をなくすような取替え口がウエスト部分についていたが非常に簡単に取替えが出来き、その取替え口をつけるのにコストもかからないようなものと考えた。
【課題を解決するための手段】
【０００５】衣料品のズボン、パンツで取替え口の付いていないものや付いていてもボタンホールのような小さい取替え口しかなかった。衣料品のサイズはＳ、Ｍ、Ｌ、ＬＬと様々な体型の方には４サイズで構成するには無理があり、自分で調節したくても非常に難しい取替え口であった。またシルバーの方でも簡単に取替えできるようにした。
様々な体型の方に合わすには調節機能が必要になってくるが調節された部分を簡単に又綺麗に収納できる。
【考案の効果】
【０００６】ウエストゴムの取替えに悩んでいる方、ウエストゴム調節機能の見栄えする収納を望んでいる方に最適で生産にもコストを賭けずできる。
【考案を実施するための最良の形態】
【０００７】従来のウエストゴムの取替え口が無い物やあっても大変小さくてウエストゴムの取替えが非常に難しかったがこの取替え口は大きく指先の不自由な方でも簡単に取り替えることが出来、調節機能も綺麗に収納できる。
【実施例】
【０００８】シルバー層が増える中、簡単にウエストゴムが取替えできるものを期待しているしお腹周りが気になる方へのウエストゴム調節機能が望まれているのでそのような厚手の機能も綺麗で簡単に収納できる取替え口が大変望まれる。
【産業上の利用可能性】
【０００９】生産においてはコストもかからず縫製仕様も難しくない大変便利な取替え口である。
【図面の簡単な説明】
【００１０】
【図１】パジャマ、肌着、スエットパンツのウエスト部分の取替え口
【図２】ウエストゴムの調節機能をゴム通しに入れやすい図
【符号の説明】
【００１１】▲１▼  ウエストゴムの取替え口
▲２▼  ウエストゴム通し
▲３▼  ウエストゴム
▲４▼  調節用ボタン
▲５▼  ボタンホール
【図１】
0003116189.tif 000003
【図２】
0003116189.tif 000004
(57)【要約】      （修正有）【課題】濡れた傘を簡単にすぼめることができ、同時に水切りもでき、手や服を濡らさずに対処できる雨天用傘用具の提供。【解決手段】雨天用傘用具は濡れてすぼめた傘が通る位の大きさの物とし、素材として金属・プラスチック・竹など弾力性のあるものを使用し骨格を作る。機能の中心となる部分を茄子状にするのは、傘が滑りやすくかつ本品を携帯しやすくするためである。骨格は、茄子状部１ａと重ね合わせ部１ｂと握り部１ｃとから構成され、茄子状部１ａにはカバー帯２をつける。カバー帯２は、茄子状部１ａにそって回転するように設置する。茄子状部１ａは、傘の先端から差し入れ、傘の真ん中でも止まる程度の大きさで、かつ傘を通し抜くこともできる程度の茄子状部１ａとし、傘の処理ができると共に水切りもできるようにするもので、これらに対応するために弾力性のある素材を使用した構成である。【選択図】図２
0003116181.tif 000002
【実用新案登録請求の範囲】
【請求項１】
金属・プラスチック・竹などのような弾力性のある素材で、すぼめた傘が通せる程度の大きさの茄子状部１ａと、その延長線上に茄子状部１ａの重ね合わせ部１ｂと握り部１ｃとを形成し、茄子状部１ａにはカバー帯２を施し、カバー帯２の素材としては、金属・プラスチックなどの弾力性のあるものをコイル状にし、茄子状部１ａに通して茄子状部１ａにそって回転するように設置し、茄子状部１ａの重ね合わせ部１ｂには、カバー帯２ががたつかない程度の位置に、大きさ適宜の止め玉３を取りつけ、その延長線上に握り部１ｃを取りつけた雨天用傘用具。
【請求項２】
請求項１記載の雨天用傘用具は、カバー帯２として大きさ適宜のビーズ状のものを数十個茄子状部１ａに通し、茄子状部１ａにそって回転する構造にした雨天用傘用具。
【考案の詳細な説明】
【技術分野】
【０００１】  本考案は、雨天時の傘処理用具であり、濡れた傘を服や手を濡らさずに処理するものに関するものである。
［背景技術］【０００２】  従来は、雨天時にはビニール袋で濡れた傘を処理していた。
［考案が解決しようとする課題］【０００３】  従来のビニール袋は、濡れた傘を保管するだけの用途であったが、大変入れにくく不自由であり、また、電車やバスなどの乗物の中では大変扱いにくい物であった。本考案は、濡れた傘を簡単にすぼめることができ、同時に水切りもでき、手や服を濡らさずに対処できるもので、今までの欠点を解決するものである。
［課題を解決するための手段］【０００４】  上記課題を解決するために、図２・図４において、雨天用傘用具は濡れてすぼめた傘が通る位の大きさの物とし、素材として金属・プラスチック・竹など弾力性のあるものを使用し骨格を作る。機能の中心となる部分を茄子状にするのは、傘が滑りやすくかつ本品を携帯しやすくするためである。骨格は、茄子状部１ａと重ね合わせ部１ｂと握り部１ｃとから構成され、茄子状部１ａにはカバー帯２をつける。カバー帯２は、茄子状部１ａにそって回転するように設置する。茄子状部１ａは、傘の先端から差し入れ、傘の真ん中でも止まる程度の大きさで、かつ傘を通し抜くこともできる程度の茄子状部１ａとし、傘の処理ができると共に水切りもできるようにするもので、これらに対応するために弾力性のある素材を使用した構成である。
［考案の効果］【０００５】  茄子状部１ａに弾力性を持った素材を使用することにより、雨天用傘用具を携帯しやすい形に保てると共に、濡れた傘をすぼめるのに、上手く対応できる。この用具を使用すれば、濡れた傘をすぼめるのに手を濡らさずに処理でき、同時に水切りもでき、乗り物の中でも簡単に傘をすぼめられかつ手や服を濡らさずに傘を持つことができ、他人への迷惑防止にも役立つ。傘をさす時には雨天用傘用具を、傘の柄の方から抜き取れるので簡単に取り扱うことができる。
［実施例］【０００６】  以下、本考案の実施例を図面に基づき説明すれば、骨格は、茄子状部１ａと重ね合わせ部１ｂと握り部１ｃとから構成され、素材は金属・プラスチック・竹など弾力性のあるものを使用する。茄子状部１ａにはカバー帯２を施す。カバー帯２は、以下２つの方法で設置することができる。１つは、素材として金属・プラスチックなど弾力性のある物で作ったコイル状の筒を茄子状部１ａに通し、茄子状部１ａにそって回転するように設置するる。また、カバー帯２は、図３・図４に示すように、上記コイルの代わりにビーズ状の物を適宜の数用い茄子状部１ａに通す形で構成してもよい。ビーズ状のものを用いると彩りをいろいろ工夫しやすくなる。いずれのカバー帯も茄子状部１ａにそって回転するように設置する。そして茄子状部１ａの延長上に握り部１ｃを設置するが、茄子状部１ａの両端が重なる部分を重ね合わせ部１ｂとし、この位置に直径適宜の止め玉３を取り付け、カバー帯２のがたつきをなくすと共にカバー帯２が回転しやすく、傘を差し込みやすくする。握り部１ｃは、ここを持って傘を差し込み、傘を止める位置を移動させたり、傘を支え持ったりする機能を担当する。握り部１ｃについては、使いやすくするために筒をつけたり、取っ手を付けたり工夫すれば使いやすくなる。【０００７】  本用具の素材としては、弾力性のあるものを使用、例えば金属・プラスチックや竹など。傘を差し込んだ時に形状が傘になじみつつ変形し、傘を軽く締めつけ、傘からはずせば元の形状に戻る弾力性のある素材の使用が必要である。
【図面の簡単な説明】
【０００８】  ［図１］コイル使用時の雨天用傘用具の斜視図
［図２］コイル使用時の雨天用傘用具の一部断面俯瞰図
［図３］ビーズ使用時の雨天用傘用具の斜視図
［図４］ビーズ使用時の雨天用傘用具の一部断面俯瞰図
【符号の説明】
【０００９】  １ａ茄子状部
１ｂ重ね合わせ部
１ｃ握り部
２カバー帯
３止め玉
【図１】
0003116181.tif 000003
【図２】
0003116181.tif 000004
【図３】
0003116181.tif 000005
【図４】
0003116181.tif 000006
(57)【要約】      （修正有）【課題】週刊誌・雑誌の中に納まっている、袋とじのページを早く、安全に開封し写真・記事等を破損する事のないように、鋼製刃物ではない安全なるペーパーカッタを提供する。【解決手段】週刊誌・雑誌の表紙・裏表紙の一部分に載せ、同誌使用の紙厚は現状のままにて、ペーパーカッタ２の寸法・大きさは任意に取り、ミシン目３の型おし工程を施しておくことにより指先で切り取って使用する。その為、特別ハサミとか他工具類を使用することなく、どこでも手軽に当該袋とじを開封でき課題を即応解決するものである。又ペーパーカッタ２の部分は読者の眼目の注視する部分となり、ここに広告宣伝・キャッチコピー等の記載によって新たな広告宣伝媒体ともなり大きな発展を期待できるものである。【選択図】図２
0003116188.tif 000002
【実用新案登録請求の範囲】
【請求項１】
週刊誌・雑誌本体の表紙又は裏表紙に任意の大きさのナイフを形どり、これを切り取り、前記週刊誌・雑誌本体の内ページに折り込んだ袋とじを開封せしめることを特徴とする袋とじ開封用ペーパーカッタ。
【請求項２】
前記ペーパーカッタの切り取り部には、型おし工程を経て、ミシン目が施されていることを特徴とする請求項１に記載の袋とじ開封用ペーパーカッタ。
【請求項３】
前記ペーパーカッタ部分に広告・宣伝文を記載したことを特徴とする、請求項１又は２に記載の袋とじ開封用ペーパーカッタ。
【考案の詳細な説明】
【技術分野】
【０００１】  本考案は、週刊誌・雑誌等の表紙・裏表紙にペーパーカッタを設けた開封用ナイフに関するものである。
【背景技術】
【０００２】  雑誌等を購入した消費者は、通常、カッターナイフ等は持ち合わせていないので、直ちに開封することが出来ず不便であった。
【考案の開示】
【考案が解決しようとする課題】
【０００３】  雑誌内に袋とじをして特集してあるものが多い中で、読者はその袋とじを早く開封しようと指先等で無理やり切断してしまい、挿入、掲載された写真、記事等は破損して趣きが失われる感があった。
そこで安全な紙でのペーパーカッタを組み込み一体化させることによって、機能を向上させ価値感を高めると共に前述の欠点を解決するものである。
【課題を解決するための手段】
【０００４】  本考案は、従来の鋼製刃物（カッターナイフ）等を用いないで、いつでもどこでも愛読者が安全に開封できるよう考案したもので、表紙又は裏表紙に任意のサイズのペーパーカッタ用ナイフとし、同紙にミシン目を付けて容易に手ではずして使用するものである。
【考案の効果】
【０００５】  上述のように「紙をもって紙を切る」論理であり、鋼製刃物は必要なく、又愛読者のいらいら解消にも役立つものである。
【考案を実施するための最良の形態】
【０００６】  週刊誌・雑誌等で製本され、現在市販されているもので表紙又は裏表紙の紙の厚さは現状のままで良いので後は任意のサイズにミシン目を付けた形状で良い。
【実施例】
【０００７】  以下、添付図面に従って一実施例を説明する。
図１において、１は週刊誌・雑誌等の表紙又は裏表紙である。
次に、図１の拡大図を図２に示す。
２は表紙又は裏表紙の角の部分を利用しカッターナイフの形状を装着したペーパーカッタである。
図２において、３はミシン目であり前記カッタナイフ２の任意のサイズに切り取り可能にしてある。また、ミシン目３は刃先の尖った部分を隅部分へ照準してあり、雑誌等を重ねることによって角部分が折れ曲がったり、めくれ上がらぬような工夫を施してある。
４は、ペーパーナイフ２の刃先部分を示し、この部分は特に鋭利にしなくてもペーパーの厚さで十分である。なおペーパーカッタ２の部分は読者の眼目の注視する部分であり、ここに広告宣伝・キャッチコピー等を記載することによって新たな広告宣伝媒体となり、大きな発展を期待できる。
【図面の簡単な説明】
【０００８】
【図１】本考案の週刊誌・雑誌等、袋とじの開封用ペーパーカッタの実施例を示す正面図である。
【図２】ペーパーカッタの装着部分の詳細図である。
【符号の説明】
【０００９】    １  週刊誌・雑誌等の本体
２  ペーパーカッタ部分
３  ミシン目
４  刃の部分
【図１】
0003116188.tif 000003
【図２】
0003116188.tif 000004